(57)【要約】【課題】  周囲に迷惑を掛けないことなどを目的とする。【解決手段】  報知音を発するカメラにおいて、マイクにより、周囲の騒音を測定し、シャッター音などの報知音を自動的に適切な音量に設定することで、報知音をうるさすぎない音量で確実に聞かせ、シャッターチャンスを逃さない。【選択図】  図１
2007041393.tif 000002
【特許請求の範囲】
【請求項１】
報知音を発するカメラにおいて、音声入力手段と、該音声入力手段より入力された音声を解析する音声解析手段と、該音声解析手段の解析結果に基づいて報知音を変化させる報知音生成手段を備えたことを特徴とするカメラ。
【請求項２】
前記音声解析手段は、音量を測定する音量測定手段であることを特徴とする請求項１に記載のカメラ。
【請求項３】
前記音声解析手段は、周波数分析を行う周波数分析手段であることを特徴とする請求項１に記載のカメラ。
【請求項４】
前記報知音生成手段は、音量を変化させる音量調整手段であることを特徴とする請求項１乃至は３に記載のカメラ。
【請求項５】
前記報知音生成手段は、周波数成分を変化させる周波数成分調整手段であることを特徴とする請求項１乃至は４に記載のカメラ。
【請求項６】
前記報知音生成手段は、予め用意している音声データを選択する音声データ選択手段であることを特徴とする請求項１乃至は５に記載のカメラ。
【請求項７】
前記音声入力手段は、記録媒体に音声データを記録するための音声入力手段であることを特徴とする請求項１乃至は６に記載のカメラ。
【請求項８】
記録媒体に画像情報を記録するカメラの撮影方法において、周囲の音声を解析し、該解析結果に基づいて報知音を生成し、発することを特徴とするカメラの撮影方法。
【請求項９】
前記報知音は、音量を変化させることによって生成される報知音であることを特徴とする請求項８に記載のカメラの撮影方法。
【請求項１０】
前記報知音は、周波数成分を変化させることによって生成される報知音であることを特徴とする請求項８に記載のカメラの撮影方法。
【請求項１１】
前記報知音は、予め用意している音声データを選択することによって生成される報知音であることを特徴とする請求項８に記載のカメラの撮影方法。
【請求項１２】
記録媒体に画像情報を記録するカメラの動作を制御するプログラムを格納した記録媒体において、周囲の音声を解析する工程と、解析結果に基づいて報知音を生成する工程と、該生成された報知音を発する工程を含むプログラムを格納したことを特徴とする記録媒体。
【発明の詳細な説明】
【技術分野】
【０００１】
本発明は、カメラ及びカメラの撮影方法並びに記憶媒体に関するもので、特に、報知音を発するカメラ及びカメラの撮影方法並びに記憶媒体に関するものである。
【背景技術】
【０００２】
従来、銀塩フィルムに結像させて画像情報を記録する銀塩カメラや、フラッシュメモリなどの記録媒体に画像情報を記録する電子カメラには、セルフタイマ音、撮影モードを設定するための各種ボタンやダイヤルを操作するたびに発する操作音を発するものがある。
【０００３】
また、特に、電子カメラにおいては、電源を入れたときに発する起動音や、シャッタを押したときに発するレリーズ音を音声データとして備えたものもある。
【０００４】
さらに、このような報知音を発するカメラにおいては、その音量をユーザーが可変する音量調節機能を備えたものもある。
【０００５】
又、従来例としては、例えば特許文献１をあげることが出来る。
【特許文献１】特開平６−１２３９１５号公報
【発明の開示】
【発明が解決しようとする課題】
【０００６】
しかしながら、前記従来例においては、次のような欠点がある。
【０００７】
撮影場所の音環境は、静かな場所からうるさい場所まで、まさに、千差万別である。このように千差万別な音環境を有する撮影場所において、カメラから発する報知音の音量が適切でないと、各種の弊害を引き起こすことがある。
【０００８】
例えば、静かな場所で、電子カメラの電源を入れた場合、起動音の音量が大きすぎると、撮影に関係の無い周囲の人にまで聞かれ、周囲の人に迷惑を掛けたり、撮影者自信も気恥ずかしい思いをすることになる。特に、直前の撮影場所が騒音の大きい場所であった場合、撮影者は、報知音のボリュームを大きくしていることが多い。そして、ボリュームを大きくしたまま、電源を切ることも多いため、次回に電源を入れたときに、その場所が静かな場合に、このようなことが起きやすい。
【０００９】
また、雑踏の中や大音量の音楽が掛かっているパーティ会場などでスナップ写真をとる場合、セルフタイマ音やレリーズ音が小さいと、被撮影者は、笑顔を作るタイミングをつかめない。このような場合、撮影者は、報知音の音量を大きく設定しなおし、被撮影者に謝り、もう一度、撮影を行うことになり、被撮影者の気分を損ね、良い写真を撮れなくなることにもつながる。また、撮影しなおす場合、電池を余計に消耗することになる。また、銀塩カメラでは、フィルムが無駄になり、電子カメラの場合でも、撮影に失敗した画像を消去するなど、余計な手間が発生する。
【００１０】
本発明はこれら従来技術の欠点を解決し、周囲の人や撮影者に不快な気持ちを与えず、資源の無駄な消費を防止し、さらに、貴重なシャッタチャンスを逃さないことを目的としている。
【課題を解決するための手段】
【００１１】
斯かる目的下において、請求項１のカメラにおいては、音声入力手段と、該音声入力手段より入力された音声を解析する音声解析手段と、該音声解析手段の解析結果に基づいて報知音を変化させる報知音生成手段を備えたことを特徴とする。
【００１２】
上述の如く構成することにより、撮影現場の騒音を解析することが可能であり、解析結果に基づいて、報知音を変化させることができる。
【００１３】
請求項２のカメラにおいては、前記音声解析手段は、音量を測定する音量測定手段であることを特徴とする。
【００１４】
上述の如く構成することにより、撮影現場の騒音量を解析することが可能であり、解析結果に基づいて、報知音を変化させることができる。
【００１５】
請求項３のカメラにおいては、前記音声解析手段は、周波数分析を行う周波数分析手段であることを特徴とする。
【００１６】
上述の如く構成することにより、撮影現場の騒音の周波数成分を解析することが可能であり、解析結果に基づいて、報知音を変化させることができる。
【００１７】
請求項４のカメラにおいては、前記報知音生成手段は、音量を変化させる音量調整手段であることを特徴とする。
【００１８】
上述の如く構成することにより、撮影現場の騒音の解析結果に基づいて、報知音の音量を変化させることができる。
【００１９】
請求項５のカメラにおいては  前記報知音生成手段は、周波数成分を変化させる周波数成分調整手段であることを特徴とする。
【００２０】
上述の如く構成することにより、撮影現場の騒音の解析結果に基づいて、報知音の音質を変化させることができる。
【００２１】
請求項６のカメラにおいては、前記報知音生成手段は、予め用意している音声データを選択する音声データ選択手段であることを特徴とする。
【００２２】
上述の如く構成することにより、撮影現場の騒音の解析結果に基づいて、報知音の音量・音質・音のコンテンツを変化させることができる。
【００２３】
請求項７のカメラにおいては、前記音声入力手段は、記録媒体に音声データを記録するための音声入力手段であることを特徴とする。
【００２４】
上述の如く構成することにより、新たな音声入力手段を付加することなく、撮影現場の騒音を音声解析手段に入力することができる。
【発明の効果】
【００２５】
以上説明したように、請求項１のカメラにおいては、音声入力手段と、該音声入力手段より入力された音声を解析する音声解析手段と、該音声解析手段の解析結果に基づいて報知音を変化させる報知音生成手段を備えたことにより、撮影現場の騒音を解析して、それに応じて報知音を撮影者及び被撮影者に聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００２６】
また、請求項２のカメラにおいては、前記音声解析手段を音量測定手段とすることにより、撮影現場の騒音量を解析して、報知音を騒音量よりも大きくなるように変化させることができ、結果として、報知音を撮影者及び被撮影者に、聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００２７】
請求項３のカメラにおいては、前記音声解析手段を周波数分析手段とすることにより、撮影現場の騒音の周波数成分を解析して、報知音を騒音の中でも聞こえやすい音質に変化させることができ、結果として、報知音を撮影者及び被撮影者に、聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００２８】
請求項４のカメラにおいては、前記報知音生成手段は、音量を変化させる音量調整手段とすることにより、撮影現場の騒音の解析結果に基づいて、報知音を騒音の中でも聞こえやすい音量に変化させることができ、結果として、報知音を撮影者及び被撮影者に、聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００２９】
請求項５のカメラにおいては前記報知音生成手段を周波数成分調整手段とすることにより、撮影現場の騒音の解析結果に基づいて、報知音を騒音の中でも聞こえやすい音質に変化させることができ、結果として、報知音を撮影者及び被撮影者に、聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００３０】
請求項６のカメラにおいては、前記報知音生成手段を予め用意している音声データを選択する音声データ選択手段とすることにより、撮影現場の騒音の解析結果に基づいて、報知音を種々の音量・音質・音のコンテンツに変化させることができ、結果として、報知音を撮影者及び被撮影者に、聞き取り易くうるさすぎない音量に自動的に設定することができる。よって、周囲の人を驚かせることがなく、また、確実に、セルフタイマ音やシャッタ音などの報知音を聞かせることが可能となり、シャッタチャンスを逃すこともない。
【００３１】
請求項７のカメラにおいては、前記音声入力手段を記録媒体に音声データを記録するための音声入力手段とすることにより、新たな音声入力手段を付加することなく、撮影現場の騒音を音声解析手段に入力することができるため、カメラの大型化及びコストアップを抑止することが可能である。
【発明を実施するための最良の形態】
【００３２】
（実施例１）
以下、本発明の実施例１について、図面を参照して詳細に説明する。
【００３３】
図１は、本発明の実施の形態を示す電子カメラの外観模式図である。
【００３４】
図２は、本発明の実施の形態を示すデジタルカメラのブロック図である。ＣＰＵ１は、デジタルカメラ全体の動作を制御する。撮影レンズ系２は、フォーカス動作やズーム動作を行い、光を透過させる。シャッタ３は、撮影するタイミングをＣＰＵ１に伝える。撮影レンズ系２より取り込まれた光は、絞りなどの露光量を制御する露光制御手段４で露光量を制御され、ＣＣＤ５に２次元光学像として結像される。ＣＣＤ５は、２次元光学像を電気画像信号に光電変換し、画像用Ａ／Ｄコンバータ６は、電気画像信号をデジタル画像データに変換する。デジタル画像データは、画像データ用ＲＡＭ７に一時的に蓄積された後、記録媒体であるメモリカード８に記録される。
【００３５】
画像表示用ＬＣＤ９は、撮影時に画像を表示したり、デジタルカメラ全般の動作状態を報知するなどの各種メッセージなどを表示したりする。
【００３６】
制御用フラッシュＲＯＭ１０は、各種の制御用のデータを格納するＲＯＭである。
【００３７】
音源ＬＳＩ１１は、ＡＤＰＣＭ音源、ＦＭ音源、ハードウエアシーケンサ、音量調整部、音質補正用イコライザ、D／Ａコンバータ、スピーカアンプなどを内蔵している。マルチメディアコンテンツ用フラッシュＲＯＭ１２には、起動音、操作音、セルフタイマ音、レリーズ音などのデジタルオーディオデータや、ＳＭＡＦデータなどの音楽、画像、テキストなどを時間軸上で同期させるためのマルチメディアコンテンツデータが格納されている。また、音源ＬＳＩ１１は、スピーカ１３とも接続されていて、スピーカ１３を駆動する。
【００３８】
マイク１５は、音声処理ＬＳＩ１６に接続されていて、撮影現場の音声を収録し、電気信号に変換し、音声処理ＬＳＩ１６に入力する。音声処理ＬＳＩ１６は、マイクアンプ、音声用A／Dコンバータ、ＤＳＰ、音声解析プログラム、音声用ＲＡＭ、音量調整部、音質補正用イコライザ部などを内蔵している。音声用ＲＡＭは、さらに、メモリカード８にも接続されている。
【００３９】
スイッチ群１７は、電源のオンオフや、デジタルカメラの各種設定及び操作を行うためのスイッチ群である。
【００４０】
次に、撮影時の動作について説明する。
【００４１】
撮影者がスイッチ群１７を用いて撮影モードを選択すると、デジタルカメラに電源が入り、ＣＰＵ１が初期化動作を開始する。デジタルカメラの周囲の音声は、マイク１５から入力され、音声処理ＬＳＩ１６に送られる。音声処理ＬＳＩ１６では、マイク１５から入力された音声信号をマイクプリアンプで増幅し、A／Dコンバータでデジタルオーディオデータに変換し、ＤＳＰに送る。ＤＳＰでは、このデジタルオーディオデータに対して、予め用意されている音声解析プログラムに基づいて種々の解析を行い、カメラ周辺の音圧レベルやラウドネス、周波数特性などを求める。例えば、音圧レベルを求めた場合、求められた音圧レベルの値は、音声処理ＬＳＩ１６内の音声用ＲＡＭに格納される。本実施例のカメラにおいては、起動音をマルチメディアコンテンツ用フラッシュＲＯＭ１２に格納された数種類の音声データより選択することが可能であり、制御用フラッシュＲＯＭ１０には、どの起動音を使用するかを示す旨のデータが格納されている。ＣＰＵ１は、制御用フラッシュＲＯＭ１０のデータに基づいて、使用する起動音を呼び出し、次いで、先に音声処理ＬＳＩ１６で求めたカメラ周囲の音圧レベルよりも、例えば５ｄＢ大きな音圧レベルで発するように、音源ＬＳＩ１１の音量調整部において起動音の音声データを増幅する。この増幅された起動音のデジタルオーディオデータは、D／Ａコンバータでアナログ信号に変換され、スピーカアンプで増幅されて、スピーカ１３より発せられる。このような処理を行うことにより、騒音の大きな場所や、逆に、静かな場所において、それぞれに、うるさすぎず、聞き取りやすい音量で起動音を発することができ、また、周囲に撮影に関係のない人が居た場合でも、迷惑や不快感を与えない可能性を高くすることができる。
【００４２】
このような工程を経て、デジタルカメラは、撮影可能な状態になる。また、カメラ周囲のラウドネスの値に対して、数sone程度大きなラウドネスで発するように、音源ＬＳＩ１１の音量調整部において起動音の音声データを増幅しても同様の効果を得られる。さらに、カメラ周囲の周波数特性に対して、選択されている起動音の周波数特性が類似していると、起動音は聞こえにくくなるため、カメラ周囲の周波数特性に応じて、音源ＬＳＩ１１の音質補正用イコライザ部において、起動音の音声データの周波数特性を変化させて、より聞こえやすくしてもよい。
【００４３】
撮影レンズ系２より取り込まれた光は、絞りなどの露光量を制御する露光制御手段４で露光量を制御され、ＣＣＤ５に２次元光学像として結像される。ＣＣＤ５は、２次元光学像を電気画像信号に光電変換し、画像用Ａ／Ｄコンバータ６は、電気画像信号をデジタル画像データに変換する。デジタル画像データは、画像データ用ＲＡＭ７に一時的に蓄積され、画像表示用ＬＣＤ９にリアルタイムに画像を表示する。
【００４４】
一方、カメラの周囲の音声は、マイク１５から入力され、音声処理ＬＳＩ１６に送られる。音声処理ＬＳＩ１６では、マイク１５から入力された音声信号をマイクプリアンプで増幅し、A／Dコンバータでデジタルオーディオデータに変換し、ＤＳＰに送る。ＤＳＰでは、このデジタルオーディオデータに対して、予め用意されている音声解析プログラムに基づいて、前述のように、音圧レベルやラウドネス、周波数特性などを求める。求められた音圧レベルやラウドネス、周波数特性の値は、音声データとともに、一時的に音声用ＲＡＭに蓄積される。また、音声データは、所定のタイミングで、随時、取り込み直し、音声用ＲＡＭ内のデータを入れ替える。本実施例のカメラにおいては、操作音、セルフタイマ音、レリーズ音をマルチメディアコンテンツ用フラッシュＲＯＭ１２に格納された数種類の音声データより選択することが可能であり、制御用フラッシュＲＯＭ１０には、どの起動音を使用するかを示す旨のデータが格納されている。例えば、ユーザーが、スイッチ群１７を押すと、ＣＰＵ１は、制御用フラッシュＲＯＭ１０のデータに基づいて、使用する操作音を呼び出し、次いで、先に音声処理ＬＳＩ１６で求めたカメラ周囲の音圧レベルよりも、例えば５ｄＢ大きな音圧レベルで発するように、音源ＬＳＩ１１の音量調整部において操作音の音声データを増幅する。この増幅された起動音のデジタルオーディオデータは、D／Ａコンバータでアナログ信号に変換され、スピーカアンプで増幅されて、スピーカ１３より発せられる。また、音源ＬＳＩ１１の音質補正用イコライザ部において、音声処理ＬＳＩ１６で求めたデジタルカメラ周囲騒音の周波数特性を考慮して、操作音がマスキングされないように、周波数特性を変更してもよい。この周波数特性を変更された操作音のデジタルオーディオデータは、D／Ａコンバータでアナログ信号に変換され、スピーカアンプで増幅されて、スピーカ１３より発せられる。このような処理を行うことにより、騒音の大きな場所や、逆に、静かな場所において、それぞれに、うるさすぎず、聞き取りやすい音量で操作音を発することができ、また、周囲に撮影に関係のない人が居た場合でも、迷惑や不快感を与えない可能性を高くすることができる。
【００４５】
撮影者が、被写体を撮影するために、シャッタ３を押すと、ＣＰＵ１が、これを認識し、音声処理ＬＳＩ１６内の音声ＲＡＭに蓄積されている音圧レベルやラウドネス、周波数特性に基づいて、マルチメディアコンテンツ用フラッシュＲＯＭ１２に格納されたセルフタイマ音やレリーズ音をスピーカ１３から出力する。セルフタイマ音やレリーズ音に関しても、周囲の騒音に対して、聞こえやすくうるさすぎない音量、音質で、スピーカ１３から各音を発するために、起動音や操作音と同様の処理を行ってもよいが、本実施例においては、以下に説明する構成で、これを実現する。
【００４６】
本実施例においては、セルフタイマ音やレリーズ音は、予め、種々の音圧レベルや種々の周波数特性を有した音声データをマルチメディアコンテンツ用フラッシュＲＯＭ１２に保存してある。そして、音声処理ＬＳＩ１６内の音声用ＲＡＭに格納されている、カメラ周囲の音圧レベルやラウドネス、あるいは／及び、周波数特性のデータに対して、聞こえやすくうるさすぎない音量及び音質のセルフタイマ音やレリーズ音を呼び出し、スピーカ１３から発音する。このような構成にすることにより、雑踏の中や大音量の音楽が掛かっているパーティ会場などでスナップ写真をとる場合でも、撮影者も被撮影者も、撮影開始や撮影終了を認識することができる。特に、被撮影者が、笑顔を作るタイミングやポーズをとるタイミングをつかむことができるため、撮影作業の効率化が図られる。また、撮影者及び被撮影者を含む周囲の人に、うるさすぎることもない。
【００４７】
そして、ＣＰＵ１は、画像用ＲＡＭ７に蓄積されているデジタル画像データをメモリカード８に記録するよう指示し、デジタル画像データは、メモリカード８に記録される。
【００４８】
また、ユーザーが、スイッチ群１７を操作することにより、公知のカメラのように、周囲の音声を保存するモードを選択することもできる。ユーザーが、スイッチ群１７を用いて、録音開始の指示をすると、デジタルカメラの周囲の音声が、マイク１５から入力され、音声処理ＬＳＩ１６に送られる。音声処理ＬＳＩ１６では、マイク１５から入力された音声信号をマイクプリアンプで増幅し、A／Dコンバータでデジタルオーディオデータに変換し、一時的に音声用ＲＡＭに蓄積され、その後、メモリカード８に記録され、ユーザーが、スイッチ群１７を用いて、録音停止の指示をすると、メモリカード８への記録が停止される。このように、マイク１５と音声処理ＬＳＩ１６を音声の記録用と各種報知音の音量及び音色を適正にするための両方に使用することができるため、部品の簡略化を行うことができ、装置を大型化することが無い。
【００４９】
以上説明したように、本発明のカメラ及びカメラの撮影方法並びに記憶媒体を用いることによって、千差万別な音環境を有する撮影場所において、報知音を適切な音量及び音色で発することができ、周囲の人や撮影者及び被撮影者に不快な気持ちを与えることがなく、また、聞き取りやすい報知音を発生することができるため、貴重なシャッタチャンスを逃すことも防止できる。
【図面の簡単な説明】
【００５０】
【図１】本件発明の一実施例としての電子カメラの外観模式図である。
【図２】本件発明の一実施例としての電子カメラの構成を示すブロック図である。
【符号の説明】
【００５１】
１  CPU
３  シャッタ
８  メモリカード
１１  音源ＬＳＩ
１２  マルチメディアコンテンツ用フラッシュＲＯＭ
１３  スピーカ
１５  マイク
１６  音声処理ＬＳＩ
【図１】
2007041393.tif 000003
【図２】
2007041393.tif 000004